(57)【要約】【課題】地震の揺れに対して十分な振動吸収機能を有する建築用パネルを提供する。【解決手段】建築物に取り付けられる枠体３と、枠体３に収容される板体２とを備える建築用パネル１であって、枠体３は、板体２がスライド可能となるように板体２の外周縁を保持する保持部３２を内周縁面３１に備えている建築用パネル１。【選択図】図２
2008240354.tif 000002
【特許請求の範囲】
【請求項１】
建築物に取り付けられる枠体と、前記枠体に収容される板体とを備える建築用パネルであって、
前記枠体は、前記板体がスライド可能となるように前記板体の外周縁を保持する保持部を内周縁面に備えている建築用パネル。
【請求項２】
前記板体の外周縁面には、周方向に沿って延びる周溝が形成されており、
前記保持部は、前記周溝に挿入される保持片を備えている請求項１に記載の建築用パネル。
【請求項３】
前記保持片は、前記枠体の内周縁面の周方向に沿って延びるように形成されている請求項２に記載の建築用パネル。
【請求項４】
前記保持部は、前記枠体の内周縁面の周方向に沿って形成され、前記板体の外周縁が挿入される枠溝を備えている請求項１に記載の建築用パネル。
【請求項５】
前記板体は、合成樹脂からなる芯材板と、前記芯材板の表裏面に積層される一対の金属シートとを備える複合板である請求項１から請求項４のいずれかに記載の建築用パネル。
【発明の詳細な説明】
【技術分野】
【０００１】
本発明は、建築用パネルに関する。
【背景技術】
【０００２】
従来、建築物の天井面や内壁面、外壁面には、防音性や断熱性、意匠性等を高めるために、例えば特許文献１に開示されているような建築用パネルが複数取り付けられている。特許文献１に開示されている建築用パネルは、図７に示すように、平面視矩形状の板体１０１と、当該板体１０１を保持する枠体１０２とを備えている。板体１０１と枠体１０２とは、スタッドボルト１０３を介して互いに固定されている。このような建築用パネル１００は、建築物の天井面や壁面等に枠体１０２を固定することにより取り付けられる。
【特許文献１】特開平７−１０２７３４号公報
【発明の開示】
【発明が解決しようとする課題】
【０００３】
しかしながら、従来の建築用パネルは、板体と枠体とがスタットボルトを介して互いに剛結合されているので、地震が発生して建築物が揺れた場合に、板体と枠体との結合部に多大な力が発生し、当該結合部において板体が破損するという問題があった。更に、板体の破損が大きい場合には、板体が脱落するおそれもあった。
【０００４】
本発明は、このような問題を解決するためになされたものであって、地震の揺れに対して十分な振動吸収機能を有する建築用パネルを提供することを目的とする。
【課題を解決するための手段】
【０００５】
本発明の上記目的は、建築物に取り付けられる枠体と、前記枠体に収容される板体とを備える建築用パネルであって、前記枠体は、前記板体がスライド可能となるように前記板体の外周縁を保持する保持部を内周縁面に備えている建築用パネルにより達成される。
【０００６】
また、この建築用パネルにおいて、前記板体の外周縁面には、周方向に沿って延びる周溝が形成されており、前記保持部は、前記周溝に挿入される保持片を備えていることが好ましい。
【０００７】
また、前記保持片は、前記枠体の内周縁面の周方向に沿って延びるように形成されていることが好ましい。
【０００８】
また、前記保持部は、前記枠体の内周縁面の周方向に沿って形成され、前記板体の外周縁が挿入される枠溝を備えていることが好ましい。
【０００９】
また、前記板体は、合成樹脂からなる芯材板と、前記芯材板の表裏面に積層される一対の金属シートとを備える複合板であることが好ましい。
【発明の効果】
【００１０】
本発明によれば、地震の揺れに対して十分な振動吸収機能を有する建築用パネルを提供することができる。
【発明を実施するための最良の形態】
【００１１】
以下、本発明に係る建築用パネルについて添付図面を参照して説明する。図１は、本発明の一実施形態に係る建築用パネルの平面図であり、図２は、図１のＡ−Ａ断面を示す概略構成断面図である。図３は、図２の要部拡大図である。なお、各図面は、構成の理解を容易にするため、実寸比ではなく部分的に拡大又は縮小されている。
【００１２】
図１及び図２に示すように、建築用パネル１は、平面視矩形状に形成された板体２と、当該板体２の外周縁を収容する枠体３とを備えている。板体２は、合成樹脂からなる芯材板２１と、当該芯材板２１の表裏面に積層される一対の金属シート２２，２２とを備える複合板である。芯材板２１を形成する合成樹脂材料としては、ポリエチレン、ポリプロピレン、ポリ塩化ビニル、ポリアミド、ポリカーボネート、ポリスチレン、ポリヒドロキシルエーテル、酢酸ビニル等を例示することができる。この芯材板２１の厚みは、特に限定されないが、例えば、３ｍｍ〜４ｍｍとなるように形成することが強度維持・軽量化の観点から好ましい。また、芯材板２１の表裏面に積層される金属シート２２を形成する金属材料としては、アルミニウム、ステンレス、銅等を例示することができる。この金属シート２２の厚みは、特に限定されないが、例えば、０．１５ｍｍ〜０．５ｍｍとなるように形成することが好ましい。
【００１３】
芯材板２１と金属シート２２，２２とは、両者が十分に密着するように接着材により接着されている。接着剤としては、例えば、エチレン−アクリル酸共重合体、エチレン−酢酸ビニル共重合体、エチレン−グリシジルアクリレート共重合体、エチレン−無水マレイン酸共重合体、ポリオレフイン（ポリエチレン等）の不飽和カルボン酸またはその無水物のグラフト変性物などを挙げることができる。なお、芯材板２１及び金属シート２２，２２の表面に微小な凹凸を複数形成し、芯材板２１に形成された凹凸と、金属シート２２に形成された凹凸とを嵌合させることにより、芯材板２１の表裏面に金属シート２２，２２が接合された板体２を形成することもできる。
【００１４】
また、板体２の外周縁面２３には、その周方向に沿って延びる周溝２４が形成されている。この周溝２４は、板体２の外周縁面２３の全周に亘って形成されている。なお、板体２を構成する芯材板２１に形成されている。
【００１５】
枠体３は、板体２を収容した状態を維持しつつ、建築物の天井面や側壁面に取り付けられる部材であり、平面視矩形状の形状を有している。この枠体３は、例えば、アルミニウム、ステンレス、チタン等の金属材料や、ポリエチレン、ポリプロピレン、ポリ塩化ビニル、ポリアミド、ポリカーボネート、ポリスチレン、ポリヒドロキシルエーテル、酢酸ビニル等の合成樹脂材料により形成されている。枠体３は、図２の断面図に示すように、枠体３の内周縁面３１に設けられる保持部３２と、外周縁面３３に設けられる固定部３４とを備えている。なお、枠体３は、その各辺ごとに分割可能に構成されており、各辺をボルト・ナット等の締結部材を介して結合することにより組み立てられている。
【００１６】
保持部３２は、板体２がスライド可能となるように板体２の外周縁を保持する機能を有しており、板体２の外周縁面２３に形成される周溝２４に挿入される保持片３２１を備えている。この保持片３２１は、枠体３の内周縁面３１から枠体３の内側に向けて立設するように形成されている。また、保持片３２１は、枠体３の内周縁面３１の全周に亘って、当該枠体３の内周縁面３１の周方向に沿って延びるように形成されている。保持片３２１の厚さ（図中の上下方向の長さに相当）は、周溝２４の幅（図中の上下方向の長さに相当）よりも若干薄くなるように形成されている。
【００１７】
固定部３４は、ボルト・ナット等の締結具を介して建築物の天井面や壁面等に、板体２を保持した枠体３を取り付ける部材であり、枠体３の外周縁面３３から枠体３の外側に向けて立設する固定片３４１を備えている。この固定片３４１は、枠体３に保持される板体２の板面２ａと平行となるように形成されている。
【００１８】
このような板体２と枠体３とを組み立てて建築用パネル１を形成するには、例えば、枠体３を各辺に分解した後、当該各辺における保持片３２１を板体２の周溝２４にそれぞれ挿入して、ボルト・ナット等の締結部材により枠体３の各辺を固定することにより行うことができる。
【００１９】
ここで、板体２の大きさや、周溝２４の深さ、周溝２４の幅、枠体３の大きさ、枠体３の内周縁面３１からの保持片３２１の突出長さ、保持片３２１の厚み等は、枠体３の保持片３２１に保持される板体２が、板体２の板面２ａと平行な方向に所定量スライドでき、かつ、スライドによる移動によって当該板体２が枠体３の保持片３２１から脱落しない範囲で適宜設定される。また、板体２の板面２ａに垂直な方向に、板体２が所定量スライドできるように設定してもよい。
【００２０】
このように構成された建築用パネル１によれば、建築物に取り付けられる枠体３の保持部３２が、板体２をスライド可能に保持しているので、当該建築用パネル１が天井面等に設置された建築物が地震の発生により揺れた場合に、地震の振動を保持部３２において吸収し、建築物の揺れを板体２に伝わりにくくすることができる。この結果、板体２に多大な力が発生することを効果的に抑制することができ、当該板体２が破損したり、枠体３から脱落することを確実に防止することが可能になる。
【００２１】
また、板体２が、合成樹脂からなる芯材板２１およびこの芯材板２１の表裏面に積層される一対の金属シート２２，２２により形成された複合板であるため、板体２の曲げ強度等の機械強度を高く維持しつつ、当該板体２の軽量化を図ることができる。この結果、板体２を枠体３に対してスライド可能に構成したことにより生じる地震発生時における板体２と枠体３との衝突による衝撃を小さく抑えることが可能になり、板体２や枠体３が損傷することを防止することができる。
【００２２】
また、本実施形態に係る建築用パネル１は、板体２の外周縁面２３に形成される周溝２４と、この周溝２４に挿入される枠体３の保持片３２１とにより、枠体３が板体２をスライド可能に保持するように構成されているので、地震の振動吸収機能を有する建築用パネル１を低コストでかつ容易に製造することができる。
【００２３】
更に、保持片３２１は、枠体３の内周縁面３１の周方向に沿って延びるように形成されているので、例えば、建築用パネル１を天井面に設置した場合において、保持片３２１が支える単位面積当りの板体２の荷重を低減することができる。この結果、地震の発生により枠体３が歪む等して、当該枠体３に不測の力が作用したとしても、保持片３２１が破損することを効果的に防止し、板体２を確実に保持することができる。
【００２４】
以上、本発明に係る建築用パネル１の一実施形態について説明したが、本発明の具体的な構成は、上記実施形態に限定されない。本実施形態においては、合成樹脂からなる芯材板２１およびこの芯材板２１の表裏面に積層される一対の金属シート２２，２２により板体２を形成しているが、例えば、板体２を合成樹脂材料のみから、或いは、金属や木材のみから形成するようにしてもよい。また、木材と金属からなる複合板を採用してよい。
【００２５】
また、本実施形態においては、板体２の外周縁面２３に周溝２４を形成すると共に、枠体３の内周縁面３１に板体２の周溝２４に挿入される保持片３２１を備えるように構成することにより、枠体３が板体２を保持するように構成されているが、このような構成に特に限定されない。例えば、図４の概略構成断面図に示すように、枠体３の内周縁面３１の周方向に沿って形成され、板体２の外周縁が挿入される枠溝３２２を枠体３の保持部３２が備えると共に、当該枠溝３２２が、板体２をスライド可能に保持するように構成することもできる。このような構成であっても、地震が発生し建築物が揺れた場合に、地震の振動を板体２に伝わりにくくすることができ、板体２が損傷したり、枠体３から脱落することを効果的に防止することが可能である。また、このような構成を採用した場合、枠体３の枠溝３２２と摺接する板体２の最外面が金属シート２２により形成されているので、枠体３の枠溝３２２との摩擦抵抗を小さくすることができる。これにより、建築物に固定される枠体３が地震発生により建築物と共に振動した場合に、地震の振動をより一層、板体２に伝わりにくくすることが可能になる。
【００２６】
また、本実施形態においては、建築用パネル１を平面視矩形状となるように構成しているが、例えば、平面視において、円形状や三角形状、五角形状等の種々の形状となるように構成することができる。
【００２７】
また、本実施形態においては、枠体３が備える保持片３２１を枠体３の内周縁面３１の周方向に沿って延びるように形成しているが、このような構成に特に限定されず、例えば、図５の枠体３の平面図に示すように、複数の保持片３２１を枠体３の内周縁面３１の周方向に沿って配置するように構成し、枠体３に保持された板体２がスライド可能となるように構成してもよい。このような構成であっても、建築物に固定される枠体３が地震により建築物と共に振動した場合に、地震の振動を板体２に伝わりにくくすることが可能である。
【００２８】
また、本実施形態においては、板体２の外周縁面２３に周溝２４を形成し、この周溝２４に保持部３２の保持片３２１を挿入するように構成されているが、例えば、図６（ａ）の板体２の斜視図、および、図６（ｂ）の枠体３の平面図に示すように、板体２の外周縁面２３に複数の挿入孔２５を形成すると共に、これらの挿入孔２５に挿入されるピン形状の保持片３２１を枠体３の内周縁面３１に複数形成することにより保持部３２を構成し、枠体３に保持された板体２がスライド可能となるように構成してもよい。このような構成であっても、地震の振動を板体２に伝わりにくくすることが可能である。
【図面の簡単な説明】
【００２９】
【図１】本発明の一実施形態に係る建築用パネルを示す平面図である。
【図２】図１のＡ−Ａ断面を示す概略構成断面図である。
【図３】図２の要部拡大図である。
【図４】図１に示す建築用パネルの変形例を示す概略構成断面図である。
【図５】図１に示す建築用パネルの他の変形例を構成する枠体の平面図である。
【図６】図１に示す建築用パネルの更に他の変形例を構成する（ａ）板体の斜視図および（ｂ）枠体の平面図である。
【図７】従来の建築用パネルを示す概略構成斜視図である。
【符号の説明】
【００３０】
１    建築用パネル
２    板体
２ａ  板面
２１  芯材板
２２  金属シート
２３  板体の外周縁面
２４  周溝
３    枠体
３１  枠体の内周縁面
３２  保持部
３２１  保持片
３３  枠体の外周縁面
３４  固定部
３４１  固定片
【図１】
2008240354.tif 000003
【図２】
2008240354.tif 000004
【図３】
2008240354.tif 000005
【図４】
2008240354.tif 000006
【図５】
2008240354.tif 000007
【図６】
2008240354.tif 000008
【図７】
2008240354.tif 000009